Podtech/llm-jp-corpus-v4-ja_patent huggingface dataset:
(57)【要約】      （修正有）【課題】複数の飲料を一つの水筒で携帯でき、内容量を増減できる連結水筒を提供する。【解決手段】上部水筒の底部に、水筒の外蓋のネジ部を施して、下部水筒の外蓋取り付けネジ部で連結可能とする。下部水筒の底部に、上部水筒と同様に水筒の外蓋のネジ部を施して、複数の水筒を連結可能とする。【選択図】図１
0003167583.tif 000002
【実用新案登録請求の範囲】
【請求項１】
別体の水筒を連結することにより、複数種類の飲料を一つ水筒として携帯できる。
【請求項２】
水筒を連結することにより、内容量を増減できるようになる。
【考案の詳細な説明】
【技術分野】
【０００１】本考案は、複数の水筒を連結するものである。
【背景技術】
【０００２】従来の水筒は、単一の容量を携帯するものである。
【先行技術文献】
【特許文献】
【０００３】
【特許文献１】登録実用新案第３１３６７４０号
【特許文献２】考案者  椎  和博
【非特許文献】
【０００４】
【考案の概要】
【考案が解決しようとする課題】
【０００５】連結用カップリングを、単独で必要とする。
【課題を解決するための手段】
【０００６】本考案は、連結用カップリングを必要とせず、従来水筒の上部ふたを取り付ける、スクリュウネジ（ワンタッチ式を含む）を利用して、別体の水筒を連結し携帯できるものとする。
【考案の効果】
【０００７】上述の様に本考案は、従来水筒の上部ふたを取り付けるスクリュウネジを利用して、単独の連結カップリングを必要とせず、別体の水筒を直接連結するものなので、この考案により、複数の飲料をひとつの水筒で携帯できる。
また、連結する水筒底部分にこの考案を使用すれば、連結することにより一度に携帯する内容量も増減できる。
【図面の簡単な説明】
【０００８】
【図１】連結部分の図
【図２】連結図（例  ３連結の図）
【図１】
0003167583.tif 000003
【図２】
0003167583.tif 000004
【手続補正書】
【提出日】平成22年10月10日(2010.10.10)
【手続補正１】
【補正対象書類名】実用新案登録請求の範囲
【補正対象項目名】全文
【補正方法】変更
【補正の内容】
【実用新案登録請求の範囲】
【請求項１】
図１の上部水筒１の底部に、従来水筒の外蓋を取り付けていたネジ部を施し、下部水筒の外蓋取り付けネジ部で連結することにより、複数種類の飲料を一つの水筒として、携帯できる連結水筒である。
【請求項２】
請求項１で示したように、別体の水筒を連結することにより、内容量を増減でき一つの水筒として、携帯できる連結水筒である。
【手続補正書】
【提出日】平成22年12月12日(2010.12.12)
【手続補正１】
【補正対象書類名】実用新案登録請求の範囲
【補正対象項目名】全文
【補正方法】変更
【補正の内容】
【実用新案登録請求の範囲】
【請求項１】
上部水筒の底部に、水筒の外蓋のネジ部を施し、下部水筒の外蓋取り付けネジ部で連結することにより、複数種類の飲料を一つの水筒として、携帯できることを特徴とする連結水筒。
【請求項２】
下部水筒の底部が上部水筒の底部と同じ構造備えていれば連結することにより、内容量を増減でき一つの水筒として、携帯できることを特徴とする連結水筒。
【手続補正書】
【提出日】平成23年2月13日(2011.2.13)
【手続補正１】
【補正対象書類名】実用新案登録請求の範囲
【補正対象項目名】全文
【補正方法】変更
【補正の内容】
【実用新案登録請求の範囲】
【請求項１】
上部水筒の底部に、水筒の外蓋のネジ部を施して、下部水筒の外蓋取り付けネジ部で連結可能とし、複数種類の飲料を一つの水筒として、携帯できるようにしたことを特徴とする連結水筒。
【請求項２】
前記下部水筒の底部に、前記上部水筒と同様に水筒の外蓋のネジ部を施して、複数の水筒を連結可能とし、内容量を増減できることを特徴とする請求項１に記載の連結水筒。
(57)【要約】      （修正有）【課題】使用箇所に応じてランプを選択、変更できる口金変換アダプターを提供する。【解決手段】電流供給側の口金と光源を接続する側の口金との間に、点灯回路を装備する。【選択図】図１
0003167594.tif 000002
【実用新案登録請求の範囲】
【請求項１】
電流供給側の口金と光源を接続する側の口金の間に、インバーター回路整流コンデンサー等の点灯回路を内臓しないＬＥＤランプ及びコンパクト蛍光ランプを点灯させる回路を装備した構造の口金変換アダプター
【考案の詳細な説明】
【考案の詳細な説明】
【産業上の利用分野】
【０００１】  本発明は、単なる大きさや形状の違う口金を電導する金属で通電させるものでなく、点灯回路を内臓しないＬＥＤランプやコンパクト蛍光ランプを点灯させる回路を装備した口金変換アダプターに関するものである。
【背景の技術】
【０００２】  従来、口金変換アダプターは、電流供給側口金とランプ接続側の口金が一致しない場合、電流供給側口金とランプ側口金を電導する金属を接続することで通電させる構造になっており、Ｅ２６形口金やＥ３９形口金には点灯回路を内臓しないＬＥＤランプやコンパクト蛍光ランプを接続しても点灯させることができなかった。
【考案の開示】
【考案が解決しようとする課題】
【０００３】  点灯回路を内臓しないＬＥＤランプやコンパクト蛍光ランプを一般家庭に普及しているＥ２６形口金や水銀灯などの大型照明に使用されているＥ３９等の普及型口金に簡単に接続して点灯させるための口金変換アダプターを提供する。
【課題を解決するための手段】
【０００４】  従来の口金変換アダプターは、電流供給側の口金と光源側の口金を通電させるだけではコンパクト蛍光灯は点灯しないため、一般に普及しているＥ２６形の口金や水銀灯などの大型照明のＥ３９形の口金で点灯回路を内臓しないＬＥＤランプ及びコンパクト蛍光ランプを点灯させるために、口金変換アダプターに点灯させるための点灯回路を装備する。
【考案を最良にするための形態】
【実施例】
【０００５】  以下本発明の一実施例について、図面を参照しながら説明する。図１は変換アダプターの状態を示す上部図と側面図と内部回路図である。上部にコンパクト蛍光ランプを接続する為のコンパクト蛍光ランプ口金▲１▼配している。下部にＥ２６やＥ３９等の普及型口金▲３▼を配している。▲１▼コンパクト蛍光ランプ口金と▲３▼普及型口金の間に蛍光ランプ点灯回路▲４▼を配する。図ではインバーター回路を装備したが蛍光ランプの点灯方式は他にも数種類あるが小型化できればどの点灯方式をとっても構わない。
【考案の効果】
【０００６】  上記構成によれば、一般に普及しているＥ２６形口金やＥ３９形口金に口金変換アダプターを装着するだけで簡単にコンパクト蛍光ランプを取り付け可能になり使用箇所に応じてランプの明るさや色度を選択、変更が手軽にできる。また口金変換アダプターの寿命と蛍光ランプの寿命が異なることで口金変換アダプターとランプを別々に購入と廃棄ができることで経済的で、廃棄物処理にも有効となる。
【図面の簡単な説明】
【０００７】
【図１】ＬＥＤランプやコンパクト蛍光ランプの点灯回路を装備した口金変換アダプターの構成図である。▲１▼はＬＥＤランプ、コンパクト蛍光ランプ受け側口金▲２▼はＬＥＤやコンパクト蛍光灯受け側口金である。▲３▼は普及型電流供給側口金である。▲４▼は点灯回路である。
【図２】はランプを取り付けた状態の斜視図である。
【図１】
0003167594.tif 000003
【図２】
0003167594.tif 000004
【手続補正書】
【提出日】平成23年2月10日(2011.2.10)
【手続補正１】
【補正対象書類名】実用新案登録請求の範囲
【補正対象項目名】全文
【補正方法】変更
【補正の内容】
【実用新案登録請求の範囲】
【請求項１】
電流供給側の口金と光源を接続する側の口金との間に、点灯回路を装備し、当該点灯回路は、点灯回路を内蔵しないＬＥＤランプ又はコンパクト蛍光ランプを点灯させるものであることを特徴とする口金変換アダプター。
(57)【要約】      （修正有） 【課題】強度不足を改善したセラミック型咽喉マイクロホンを提供する。【解決手段】セラミック型マイクロホンの片面と、セラミック型マイクロホンと同一の大きさのプリント基板の両面のうち電気回路を搭載していない片面とを両面テープにて接着した。 【選択図】図１
0003167593.tif 000002
【実用新案登録請求の範囲】
【請求項１】
咽喉マイクロホンにセラミック型マイクロホンを使用する時、セラミック型マイクロホンの強度不足を補うために、セラミック型マイクロホンとプリント基板と両面接着テープで張り合わせることで強度不足を補うことを特徴とするセラミック型咽喉マイクロホン。 
【考案の詳細な説明】
【技術分野】
【０００１】
本考案は咽喉マイクロホンにセラミック型マイクロホンとして使用する。 
【背景技術】
【０００２】
セラミック型咽喉マイクロホンが知られている。 
【考案の開示】
【考案が解決しようとする課題】
【０００３】
セラミック型咽喉マイクロホンのセラミック型マイクロホンの強度不足を解決しようと 
することを課題する。 
【課題を解決するための手段】
【０００４】
セラミック型咽喉マイクロホンに使用する、セラミック型マイクロホンは強度不足の問 
題があり、その強度不足を補うため、セラミック型マイクロホンとプリント基板と両面接 
着テープで張り合わせることで解決しようとすることを課題する。 
【考案の効果】
【０００５】
上述の本考案のとしてセラミック型咽喉マイクロホンとして使用する時、セラミック型 
マイクロホンの強度不足補うためにセラミック型マイクロホンとプリント基板とを両面接 
着テープで張り合わせることで、セラミック型マイクロホンの強度が増すことでき考案 
の効果とする。 
【考案を実施するための最良の形態】
【０００６】
上述のように本考案はセラミック型マイクロホンとプリント基板とを一体化するために両面接着テープを張り合わせることで、実施するための最良の形態とする。 
【実施例】
【０００７】
図面に従って、以下添付実施例を説明する、1上ケース、1aはセラミック型マイクロホンの支持ピン、2はセラミック型マイクロホン、3はセラミック型マイクロホンとプリント 
基板とを接着するための両面接着テープ、4はプリント基板、5はスポンジで両面接着テープで接着されたセラミック型マイクロホンとプリント基板を上ケースに密着させるためのスポンジ、6は下ケース、7は咽喉マイクロホン密着用バネである。 
【図面の簡単な説明】
【０００８】
【図１】咽喉マイクロホン正面図
【図２】咽喉マイクロホン上面図
【図３】咽喉マイクロホン左側面図
【図４】咽喉マイクロホン右側面図
【図５】咽喉マイクロホン使用正面図
【図６】咽喉マイクロホン使用側面図
【図７】咽喉マイクロホン使用図
【符号の説明】
【０００９】
1 上ケース 
2 セラミック型マイクロホン 
3 両面接着テープ 
4 プリント基板 
5 スポンジ 
6 下ケース 
7 咽喉マイクロホン密着用バネ 
【図１】
0003167593.tif 000003
【図２】
0003167593.tif 000004
【図３】
0003167593.tif 000005
【図４】
0003167593.tif 000006
【図５】
0003167593.tif 000007
【図６】
0003167593.tif 000008
【図７】
0003167593.tif 000009
【手続補正書】
【提出日】平成23年1月25日(2011.1.25)
【手続補正１】
【補正対象書類名】実用新案登録請求の範囲
【補正対象項目名】全文
【補正方法】変更
【補正の内容】
【実用新案登録請求の範囲】
【請求項１】
セラミック型マイクロホンの片面と、セラミック型マイクロホンと同一の大きさのプリント基板の両面のうち電気回路を搭載していない片面とを両面テープにて接着したことを特徴とするセラミック型咽喉マイクロホン。
(57)【要約】【課題】従来の無線綴じ製本を応用し、安価な製本コストで開きのよい本を提供する。【解決手段】柔軟で強力な接着剤１ａにより、前後二枚の表紙（表表紙１ｂと裏表紙１ｃ）と本文１ｄを背の部分１ｆで接着し、寒冷紗１ｅを用いて背固めする。従来の本に見られるような背表紙は存在せず、柔軟な背固め部分１ｆ自体が本の背となる。この製本工程のみで充分な強度を持つ一冊の本が完成する。製本工程が少ないため、安価なコストでの製本が可能となり、また薄く柔軟な背１ｆは割れにくく落丁しにくい。なお、この構造を応用して、同様の製本方法により本文１ｄを背固めし、その上から新たな紙を被せて接着して、これを本の表紙とすることも可能であり、その方法を用いれば、並製本のみならず上製本を製本することも可能である。【選択図】図１
0003167600.tif 000002
【実用新案登録請求の範囲】
【請求項１】
強く柔軟な接着剤と寒冷紗を用いて、本文と前後二枚に分かれた表紙を背固めし、この柔軟な背固め部分自体を背とする本であって、従来の本に見られるような背表紙が存在せず、薄く柔軟な背を持つことで、頁数が多くても開きのよさを特徴とする本。
【請求項２】
請求項１に記載した本の製本方法を応用した本であって、強く柔軟な接着剤と寒冷紗を用いて本文を背固めし、この柔軟で開きのよい本文に表紙を被せ、見返しあるいは背部で接着した構造を特徴とする本。
【考案の詳細な説明】
【技術分野】
【０００１】  本考案は、無線綴じで製本した本の構造に関し、特に頁数が多くても開きのよい本の構造に関する。
【背景技術】
【０００２】  従来、無線綴じあるいは網代綴じで製本した本の構造は、図２に示すようにホットメルトをはじめとする接着剤で背を固めたものであり、柔軟性に欠けるものの、製本工程が少ないため、製本コストが比較的安価である。一方、図３に示すフレキシブルバック方式、あるいは図４に示すホローバック方式によって、糸かがり綴じで製本した本は、本文を大きく開きやすく、なかには１８０度開くことができるものもあるが、他の製本方法に比べて製本工程が多いため、製本コストが高価である。
【先行技術文献】
【特許文献】
【０００３】
【特許文献１】特開平１１−１８００６９号公報
【考案の概要】
【考案が解決しようとする課題】
【０００４】  以上の技術によれば、無線綴じや網代綴じでの製本では、接着剤で固めた背が柔軟でないため、特に頁数が多い場合、本文を大きく開くことが難しかった。一方、糸かがりを用い、ホローバック方式やフレキシブルバック方式によって製本した場合は、本文を大きく開くことができるが、他の製本方法に比べて工程が多く、製本コストが高価であった。【０００５】  そこで、本考案は従来の無線綴じ製本を応用し、少ない製本工程で製本コストを安価に抑えながら、糸かがりを用いたホローバック方式やフレキシブルバック方式のように、頁数が多くても開きのよい本を製本することを課題とする。
【課題を解決するための手段】
【０００６】  以上の課題を解決するため、第一考案は強く柔軟な接着剤と寒冷紗を用いて、本文と前後二枚に分かれた表紙を背固めし、この柔軟な背固め部分自体を背とする本であって、従来の本に見られるような背表紙が存在せず、薄く柔軟な背を持つことで、頁数が多くても本文を１８０度開くことができるほどの開きのよさを特徴とする本である。【０００７】  また、第二考案は、第一考案を応用した本であって、強く柔軟な接着剤と寒冷紗を用いて本文を背固めし、この柔軟で開きのよい本文に表紙を被せ、見返しあるいは背部で接着した構造を特徴とする本である。
【考案の効果】
【０００８】  第一考案によれば、従来の無線綴じ製本と同様に糸を使わず、前後二枚に分かれた表紙と本文に、強く柔軟な接着剤を薄く塗布して背固めをしているため、少ない製本工程で製本コストを安価に抑えながら、糸かがりを用いたホローバック方式やフレキシブルバック方式のように背が柔軟で、頁数が多くても開きのよい本が可能となる。【０００９】  さらに、第一考案を応用した第二考案によれば、第一考案と同様の方法で本文を背固めし、その本文の上から表紙を被せて接着することで、糸かがりを用いないホローバック方式の構造を持つため、安価な製本コストで、頁数が多くても開きのよい本が可能となる。第二考案においては、第一考案と異なり、ソフトカバーに限らず、ハードカバーも含む様々な表紙を用いることができる。
【図面の簡単な説明】
【００１０】
【図１】第一考案の一実施形態である並製本の構造を示す断面図である。
【図２】従来の無線綴じで製本した並製本の構造を示す断面図である。
【図３】糸かがり綴じを用い、フレキシブルバック方式で製本した並製本の構造を示す断面図である。
【図４】糸かがり綴じを用い、ホローバック方式で製本した並製本の構造を示す断面図である。
【図５】第二考案の一実施形態である上製本の構造を示す断面図である。
【考案を実施するための形態】
【００１１】  以下、本考案の実施の形態を図に基づいて説明する。
【００１２】  図１は、第一考案の一実施形態である、並製本の構造を示す断面図であって、本文１ｄと前後二枚の表紙（表表紙１ｂと裏表紙１ｃ）が、柔軟で強力な接着剤１ａによって背の部分１ｆで接着され、寒冷紗１ｅを用いて背固めされていることを特徴とする。従来の本に見られるような背表紙は存在せず、柔軟な背固め部分１ｆ自体がこの本の背となる。
【００１３】  図５は、第二考案の一実施形態である、上製本の構造を示す断面図であって、本文５ｃが柔軟で強力な接着剤５ａによって寒冷紗５ｄと一緒に背固めされ、その本文の上からハードカバーの表紙５ｂが被せられ、見返し５ｅで接着されていることを特徴とする。頁数が多くても開きがよく、その構造は、糸かがりを用いないホローバック方式の上製本といえる。
【００１４】「実施形態の効果」
この実施形態によれば、この本には背表紙が存在しない。接着剤１ａと寒冷紗１ｅによって背固めされた薄く柔軟な背１ｆは、本文を１８０度開くことができるほど開きがよく、また割れにくく落丁しにくい。製本には糸を用いないため、製本工程が少なく、安価なコストでの製本が可能である。
【００１５】「他の実施形態」
図１の実施形態は、前後二枚に分かれた表紙を用いた並製本であるが、他の実施形態では、その方法を応用して、同様の方法で背固めした本文の上から新たな紙を被せて接着し、これを本の表紙としてもよい。その方法を用いれば、並製本のみならず、図５のように、ハードカバーの表紙を被せて見返し部分で接着した上製本を製本することも可能である。
【符号の説明】
【００１６】１ａ  接着剤
１ｂ  表表紙
１ｃ  裏表紙
１ｄ  本文
１ｅ  寒冷紗
１ｆ  本の背
２ａ  接着剤
２ｂ  表紙
２ｃ  本文
２ｄ  本の背
３ａ  表紙
３ｂ  糸かがりで綴じられた本文
３ｃ  本の背
４ａ  表紙
４ｂ  糸かがりで綴じられた本文
４ｃ  クータ
４ｄ  本の背
５ａ  接着剤
５ｂ  表紙（ハードカバー）
５ｃ  本文
５ｄ  寒冷紗
５ｅ  見返し
５ｆ  本の背
【図１】
0003167600.tif 000003
【図２】
0003167600.tif 000004
【図３】
0003167600.tif 000005
【図４】
0003167600.tif 000006
【図５】
0003167600.tif 000007
(57)【要約】【課題】駐車場のイーとアイランド対策のため、簡易に栽培できるつる類を使って緑化したい、又簡易に施工できて、駐車台数は減らしたくない。【解決手段】従来のつる類によるトンネル状の緑化システムでは車の両側にプランターを置いて栽培していたので車の台数の減少は避けられなかったが、今回は車の後部から上部に育てるのでこの課題が解決できるようになりました。【選択図】図１
0003167599.tif 000002
【実用新案登録請求の範囲】
【請求項１】
業務用駐車場（路面駐車又は立体駐車場）のヒートアイランド・対策のための日陰を作るため、車が入る一方方向から、片寄せ、招き猫方式で頭上につる類を走らせるシステムで、
（１）つるを先ずプランターから、２メートル前後まで支持体に沿わせ垂直に這い上がら      せ、それから駐車している車の後部を覆うように、円曲状の支持体に沿いつるを育      て、先端からは、フレームの荷重を受け止めるため支持棒をやや斜め前に地面に走      らせ、地面のコンクリートブロックに突き刺し頭上の荷重を支える。
（２）つるを育てる支持体は、車２台を単位として、両端の支持棒二本は半円形のコンク      リートブロックで受け、その間を約５０ｃｍ間隔で細い金属製パイプを縦、横に走      らせ風圧に耐える強度を持たせるようにする。又その上に、つるが絡みやすい、約      １０ｃｍ間隔の繊維製ネットを被せて止める。又台風対策のための風圧強度を増す      ため、縦横約５０ｃｍ間隔でパイプを走らせ、地面に受ける時は、プランター内で      留め金具部品で受け止め固定化する。
以上の構造からなる駐車場緑化システム。
【考案の詳細な説明】
【技術分野】
【０００１】これまでのつる類によるトンネル、ドーム式緑化システムの場合、プランターが最前列まで出ているので駐車するとき車を斜めから入れにくいことと、プランターの容器の幅だけ駐車スペースが取られるので、駐車台数が少なくなり、既設の駐車場の場合は、改めて駐車場所を設定する必要が有りました。今回のシステムでは、この課題が解決され、従来方式同様、頭上に花と緑が楽しめます。又、冬には、落葉つる類を使っている場合、骨組みの上に、イルミネーシオンネットを置くことに拠り、夜は素晴らしいイルミネーシオンが楽しめます。
【背景技術】
【０００２】トンネル方式でのつる類での緑化システムで頭上に植物を持ってくるのに、車の左右からプランターを並べる方式に拘っていたが、発想の転換で、多少緑化面積は減るが、正面からつる類を育て、片寄せ、招き猫方式にすることに拠り、今までの課題がある程度解決できるのではないかと考えました。
【考案の開示】
【考案が解決しようとする課題】
【０００３】−芝生による平面緑化ではなく、つる類を上空に向け生育させることに拠り、立体的に緑  化したい
−頭上に花と緑を楽しみたい
−約２メートル以上の所で、片寄せ、招き猫方式で丸く前に倒すことに拠り、柔らかい花  と緑の景観が立体的に楽しめるようにしたい。
−片寄せ方式の場合、先端に突き出るプランターの部分の荷重を支えてやる必要がありま  す。
【課題を解決するための手段】
【０００４】−添付（図１，２）参照頂きたく。車庫の正面のプランターだけから植物を育てるので、  出来るだけ日陰の面積を大きくするため、片寄せ方式で駐車する車の半分近くまで植栽  用骨組みを前方に突き出すようにする。突き出したことによる骨組みの加重を支持棒で  やや斜め前方のコンクリートブロックに突き刺して固定する。この片寄せ栽培壁は西向  きに立てかけることに拠り、午後に西日を受けることに拠り駐車している車の頭上の日  陰を増やす事になります。
−片寄せの栽培壁の台風からの風圧を受け止めため、（図１，２）３，４のコンクリート  ブロックは車止めブロック同様の方式で地表に確りと固定します。また後ろに金属製の  柵があるときに栽培壁と柵を確りと一体化しておく。通常立体駐車場の場合はビルの最  上階ですので十分強度のある確りした金属製の柵があるのでそれと栽培壁を７のように  一体化してやる。
−栽培壁の縦方向の金属製パイプ６は上からの荷重を受けるため、プランターの底のパイ  プの受け金具に差し込むことに拠り、プランターと栽培壁の一体化を図ります。
【考案の効果】
【０００５】−栽培壁は、支持棒８を受け止めるコンクリートブロックが最先端で車の略真中の位置な  ので殆んど入庫時の障害にはなりません。又、通常車止めブロックから後ろの壁まで１  Ｍ以上余裕があるので、栽培用プランターを置くスペースは充分取れます。
従って、既設の駐車場の場合、これまでの駐車の配置図面通りに駐車できます。
−栽培壁を西向きに設置することに拠り、午後には車の殆んどが日陰になります。
芝生による地面の緑化と比べ、直射日光を翔れるので長時間駐車しても、車体が焼け付  く事が無く気持ちよく帰えれます。
−壁面緑化と比べ、頭上のすぐ近くで花と緑を楽しめ、２のように曲面状につるが乗り出  しているので美観に柔らか味が感じられます。
−家庭用駐車場への適応：（図３）参照頂きたく。栽培壁を車の一方の側面に設置するこ  とにより家庭用駐車場として同じシステムの応用が可能です。この場合２の長さを業務  用より長くすることが可能です。
【考案を実施するための最良の形態】
【０００６】−出来るだけ大衆を引き寄せたい遊園地、スーパー、コンビニの駐車場については、イル  ミネーシオンネットが置けれるかどうかが大きなポイントですが、この場合、落葉樹を  使っておれば、冬には枯れ枝を撤去してやるだけでイルミネーシオンの土台として活用  できます。春、夏、秋は草木と花を楽しみ、冬クリスマス時にはイルミネーシオンが楽  しめます。
−壁面緑化と違い草花が地上から手の届く範囲にあるので、剪定等の管理がやり易く、花  も身近に観賞できます。従って、美観の点で慶ばれるアサガオ、ノウゼンカズラ等の花  木を所処に植えれば、美観が一層よくなり慶ばれます。
−つるの栽培に必要な水の供給の回数、量を最小限にするため、保水性と透水性に優れた  珪藻土焼成粒を主とした土壌改良剤を充分育苗培土に添加しておく。
【実施例】
【０００７】−トンネル状の骨組みでつる類を両側から栽培した駐車場のモデルプラントは実証済みで  マスコミにも取上げられました。
−上記と全く同じ骨組みで公園の人道をつる類で緑化した実績もあります。
−土壌改良剤・珪藻土焼成粒は、現在もゴルフ場、屋上緑化の土壌改良剤として大量に使  われています。
【図面の簡単な説明】
【０００８】
【図１】駐車場の側面図：つる類９が片寄せ状に車の頭上を覆っている。
【図２】駐車場の平面図２台単位で支持棒２が前方に片寄せ状に丸く伸びている。
【図３】家庭用駐車場：車の一方の側面から片寄せ型指示棒がプランターから上空に伸びている。
【符号の説明】
【０００９】１プランター
２支持棒
３支持棒を受けるコンクリートブロック（後部）
４同上（前部）
５車止めコンクリートブロック
６外壁の金属棒
７支持棒と後部の外壁の金属棒をジョイントする金属部品
８前部の支持棒
９つる系植物
【図１】
0003167599.tif 000003
【図２】
0003167599.tif 000004
【図３】
0003167599.tif 000005
(57)【要約】      （修正有）【課題】パイプ型棒状型骨伝導イヤホーン先端に耳栓を取り付け、その耳栓に外部の音を聞こえるようにする為に貫通穴を設けたことで外部の音とイヤホーンの音の双方が聞こえるようにしたセラミック型骨伝導イヤホーンを提供する。【解決手段】貫通穴を持つ耳栓１は外耳道に入れ外耳道に密着させることで、セラミック型骨伝導イヤホーンの振動伝えることができ、かつ貫通穴があることで外音を聞くことができる。セラミック振動素子２は交流電圧を加えると振動する。プラスチック製パイプ３はセラミック振動素子２を固定する。カバー４はセラミック振動素子で交流電圧を加えるためのリード線保持する。また、リード線５はセラミック振動素子２に信号としての交流電圧を伝える。【選択図】図１
0003167694.tif 000002
【実用新案登録請求の範囲】
【請求項１】
セラミック型骨伝導イヤホーンでパイプ型棒状型骨伝導イヤホーン先端に耳栓を取り付け、その耳栓に外部の音を聞こえるようにする為に貫通穴を設けることを特徴する貫通穴付耳栓を設けたセラミック型骨伝導イヤホーン。
【考案の詳細な説明】
【技術分野】
【０００１】
本考案はセラミック型骨伝導イヤホーン利用するための技術分野。
【背景技術】
【０００２】
イヤホーンを使用中に外部の音とイヤホーンの音の双方が聞こえる必要のあることを背景技術とする。
【考案の開示】
【考案が解決しようとする課題】
【０００３】
本考案はイヤホーンを使用中に外部の音とイヤホーンの音の双方が聞こえるようにすることを考案が解決しようとする課題とする
【課題を解決するための手段】
【０００４】
本考案は利用することで解決しようとすることを課題する。
【考案の効果】
【０００５】
上述のように本考案のセラミック型骨伝導イヤホーンでパイプ型棒状型骨伝導イヤホーン先端に耳栓を取り付け、その耳栓に外部の音を聞こえるようにする為に貫通穴を設けことで双方の音が聞こえることで考案の効果があった。
【考案を実施するための最良の形態】
【０００６】
上述のように本考案はセラミック型骨伝導イヤホーンでパイプ型棒状型骨伝導イヤホーン先端に耳栓を取り付け、その耳栓に外部の音を聞こえるようにする為に貫通穴を設けことで双方の音が聞こえることが出来たので、実施するための最良の形態とする。
【実施例】
【０００７】
図面に従って、以下添付実施例を説明する、１は貫通穴を持つ耳栓で外耳道に入れることで外耳道に密着させることで、セラミック型骨伝導イヤホーンの振動伝えることができる、貫通穴があることで外音を聞くことができる耳栓、
２はセラミック振動素子で交流電圧を加えると振動する、３はセラミック振動素子を固定するプラスチックによるパイプ、
【０００８】
４はセラミック振動素子で交流電圧を加えるためのリード線保持するためのカバー、５はセラミック振動素子で交流電圧を加えるためのリード線、６は外耳道で耳栓を差込むことでセラミック型骨伝導イヤホーンの振動を伝える、７は耳である、
【図面の簡単な説明】
【０００９】
【図１】セラミック型骨伝導イヤホーン正面図
【図２】セラミック型骨伝導イヤホーン底面図
【図３】セラミック型骨伝導イヤホーン上面図
【図４】セラミック型骨伝導イヤホーン左側面図
【図５】セラミック型骨伝導イヤホーン右側面図
【図６】セラミック型骨伝導イヤホーン使用図
【符号の説明】
【００１０】
１    貫通穴を持つ耳栓
２    セラミック振動素子
３    セラミック振動素子
４    リード線保持するためのカバー
５    セラミック振動素子で交流電圧を加えるためのリード線
６    外耳道
７    耳
【図１】
0003167694.tif 000003
【図２】
0003167694.tif 000004
【図３】
0003167694.tif 000005
【図４】
0003167694.tif 000006
【図５】
0003167694.tif 000007
【図６】
0003167694.tif 000008
(57)【要約】      （修正有）【課題】在宅介護を被介護者はもとより、介護する人が高齢者であっても楽に一人で介護可能な介護用ベットを提供する。【解決手段】ベッドの四隅の支柱１を上部に延長し、この上に電動クレーン１８の走行レール２、横行レール１５を設置し電動クレーン１８を取り付ける。ベッドはクレーン１８が装備する。これにより、ベッドの背上げ、足上げ、ベッドの横転に他の油圧機構、電動アクチュエータを一切必要としないで、ベッドの背上げ、足上げ、衣類の着せ替えと移動用の吊り具装着のための身体の反転、ベッドから車椅子、ポータブルトイレ、浴槽への移動を一人でクレーン１８を操作することで作業できるようになる。【選択図】図１
0003167633.tif 000002
【実用新案登録請求の範囲】
【請求項１】
四隅に支柱を備えて背上げと横転とができるベッドと、ベッドの支柱の上部に設けられてベッド枠を兼ねる走行レールと、走行レールに走行可能に設けられる横行用レールと、横行レールに横行可能に設けられて被介護者を吊り上げ得るクレーンと、ベッドに設けられてクレーンでの引き上げによりベッドを背上げするための背上げ用フック金具と、ベッドに設けられてクレーンでの引き上げによりベッドを横転するための横転用フック金具と、から構成したことを特徴とするクレーン付き介護ベッド。
【考案の詳細な説明】
【技術分野】
【０００１】
図１に示すように、介護用ベッドに天井走行電動クレーンを備えたベッド。
【背景技術】
【０００２】
図６で示すように介護ベッドと移動用クレーン装置はそれぞれ別個に製作販売されている。設置スペース等が考慮されていない、別個に製作されているので高価で使いがってが悪く広い設置スペースが必要である。
【先行技術文献】
【特許文献】
【０００３】
【特許文献１】なし
【考案の概要】
【考案が解決しようとする課題】
【０００４】
現在の介護用ベッドは背上げ、足上げ程度で介護者の手助けになっていない、在宅介護が今後増加するなかで、介護者（特に老齢者、介護センターの若い労働者）の負担の少ない介護ベッドを提供することを課題とする。
【課題を解決するための手段】
【０００５】
被介護者に必要な事項（１）ベッドの背上げ、足上げ機能。
介護者に必要な事項  （１）被介護者の移動機能（車椅子、ポータブルトイレ、浴槽）。
（２）被介護者の衣服の交換時、移動用吊具装着の補助機能。
【考案の効果】
【０００６】
図１に示すような構造とすることにより、普通のベッドと同じ床面積で、ベッドの背上げ、足上げ作業、介護者の重労働である車椅子、ポータブルトイレ、浴槽への被介護者の移動、衣服の交換作業等が一人で楽に行えるようになった。
【図面の簡単な説明】
【０００７】
【図１】全体組立図
【図２】全体機構図
【図３】背上げ、足上げ機構図
【図４】ベッド横転機構図
【図５】吊り上げ移動機構図
【図６】市販されている介護用機器を示す
【考案を実施するための形態】
【０００８】
考案の一実施形態を、図１に示す。
一般介護機能（背上げ、足上げ）を持ったベッドの四隅の支柱１を上部に延長し、この上に電動クレーンの走行レール２、横行レール１５を設置し電動クレーン１８を取り付ける（走行、横行は手動となる）。このクレーンで被介護者の移動機能が満足される。このベッドはクレーンが装備されているので、ベッドの背上げ、足上げ、ベッドの横転に他の油圧機構、電動アクチュエータを一切必要としないで、クレーン一つで操作可能なベッド機能に改善した。
（それぞれの作動に別個に油圧機器、電動アクチュエータ等を備えても良い。）
１）背上げ、足上げ機能
図３に示すようにベッド床は四分割し蝶番２０でそれぞれ連結し車輪９を三組とストッパ１２を三組装着されている。このベッド床がベッドスライドフルーム１３に乗っている。背上げ、足上げが連動するようにアーム１０がベッド床に取り付け、これを連結ロッド１１で接続されている。背上げ用フック金具８をクレーンで上方に引き上げると背上げと足上げが連動して動く。
２）ベッドの横転機能
ベッド床が乗ったベッドスライドフレーム１３の横転用フック金具１４の左右の一方をクレーンで引き上げるとベッドは半割回転軸受け３を回転中心として横転す。
これにより被介護者の衣服の交換、吊り上げ移動時の被介護者吊具１９の装着を容易にすることが出来る。
【実施例】
【０００９】
上記実施形態は製作しやすいように全ての材料は建築足場用の鉄製丸パイプと接続金具を使用した場合を示した。製品の運搬搬入、組立が容易になっている。外観を良くするため角パイプ、形鋼を使用してもよい。
使用しなくなった不要ベッドの処理は廃棄ゴミでなく再利用も出来るし、ボルトをはずして分解すれば鉄鋼の素材になる。
【産業上の利用可能性】
【００１０】
在宅介護、介護センター等でこのクレーン付き介護ベッドを使用することにより介護者が老人でも可能になる。介護者の環境が改善されず、せっかく若い人が介護士になっても辞めていく現状が改善される。また介護に数人かかっていた作業も全て一人作業になり在宅介護が推進され、かつ介護費用が低減することが期待出来る。
【符号の説明】
【００１１】
１  支柱（ベッド枠）
２  走行レール（ベッド枠）
３  半割回転軸受け
４  ベッド床板１
５  ベッド床板２
６  ベッド床板３
７  ベッド床板４
８  背上げ用フック金具
９  車輪
１０  アーム
１１  連結ロッド
１２  ストッパ
１３  ベッドスライドフレーム
１４  横転用フック金具
１５  横行レール
１６  横行ローラ
１７  走行ローラ
１８  電動クレーン
１９  被介護者吊具
２０  蝶番
【図１】
0003167633.tif 000003
【図２】
0003167633.tif 000004
【図３】
0003167633.tif 000005
【図４】
0003167633.tif 000006
【図５】
0003167633.tif 000007
【図６】
0003167633.tif 000008
(57)【要約】      （修正有）【課題】握る、押す、叩く、揉む、等の行動により身体に素晴らしい効果を発する握り棒を提供する。【解決手段】中心に磁力棒が通り、上から略球状部、第１凸起部、第１凹部、第２凸起部、第２凹部、第３凸起部、第３凹部とその下にはかま部を持ち、その凹部に指が入る。【選択図】図１
0003167631.tif 000002
【実用新案登録請求の範囲】
【請求項１】
金属製の握り棒で、最上部に略球状の部分があり、順次下へ第１凸起部、第１凹部、第２凸起部、第２凹部、第３凸起部、第３凹部と、その下にはかま部を持つもので、その各凹部に指が入り、中心に磁力棒が入った健康に良い握り棒。
【考案の詳細な説明】
【技術分野】
【０００１】    本考案は、握っていると健康に良い握り棒に関する。
【背景技術】
【０００２】    健康機具は種々あるが握っているだけで効果のあるものは無い。
【考案の概要】
【考案が解決しようとする課題】
【０００３】    本考案は時々握っているだけで健康が得られる握り棒である。これは生体理論、生体力学、生体電流の研究より生まれたものである。
【課題を解決するための手段】
【０００４】    金属製の握り棒で、最上部に球状の部分があり、順次下へ、第１凸起部、第１凹部、第２凸起部、第２凹部、第３凸起部、第３凹部、とその下にはかま部を持つもので、その各凹部に指が入り、中心に磁力棒が入った健康に良い握り棒である。
【考案の効果】
【０００５】    本考案の握り棒を、握る、押す、叩く、揉むことにより、生体理論にかなった効果の得られるものである。又磁力効果による、体に良いイオンを発する。
【図面の簡単な説明】
【０００６】
【図１】    握った状態の正面図である。
【図２】    断面図である。
【考案を実施するための形態】
【０００７】    最上部には球形をした部分と順次下へ３つの凸起部と３つの凹部を交互に持ち、そこに指が回っているものである。最下部はシリコンゴムが嵌められる。このシリコンゴムは、美しく、花の香りがするようなものが良い。これは精神安定と癒しの効果がある。
【実施例】
【０００８】    添付図面に従って実施例を説明する。１は金属製の握り部である。最上に略球状部（２）と、第１凸起部（３）と第１凹部（４）、第２凸起部（５）と第２凹部（６）、第３凸起部（７）と第３凹部（８）と、はかま部（９）の凹部が上から順にある。【０００９】    中心には磁力を持つ磁石棒（１０）が間挿固定され、はかま部はシリコンゴム（１１）が嵌められている。【００１０】    全体はアルミニューム等の製品である。
【符号の説明】
【００１１】１．握り部
２．略球状部
３．第１凸起部
４．第１凹部
５．第２凸起部
６．第２凹部
７．第３凸起部
８．第３凹部
９．はかま部
１０．磁力部
１１．シリコンゴム
【図１】
0003167631.tif 000003
【図２】
0003167631.tif 000004
(57)【要約】【課題】手間をかけることなく迅速にカプセル本体内を設定温度に冷房可能な高気圧酸素カプセル装置を提供すること。【解決手段】  気密されたカプセル本体１１内に人Ｂが入った状態で高気圧酸素を充満可能な高気圧酸素カプセルにおいて、このカプセル本体１１内に配設され蒸発器２２を有する室内機２１と、当該カプセル本体１１外部に配設され圧縮機３２と凝縮器３３を有する室外機３１と、当該室内機２１と室外機３１とを接続する冷媒配管４１とを備え、設定温度に冷房可能なエアコンデショナ２０を設ける。【選択図】      図１
0003167637.tif 000002
【実用新案登録請求の範囲】
【請求項１】
気密されたカプセル本体内に人が入った状態で高気圧酸素を充満可能な高気圧酸素カプセル装置において、
前記カプセル本体内に配設され蒸発器を有する室内機と、当該カプセル外部に配設され圧縮機と凝縮器を有する室外機と、当該室内機と室外機とを接続する冷媒配管とを備え、設定温度に冷房可能なエアコンデショナを付加したことを特徴とする高気圧酸素カプセル装置。
【考案の詳細な説明】
【技術分野】
【０００１】
本考案は、気密されたカプセル本体内に人が入った状態で高気圧酸素を充満可能な高気圧酸素カプセル装置に関する。
【背景技術】
【０００２】
高気圧酸素カプセル装置は、気密されたカプセル本体を有し、当該カプセル本体内に人間が入った状態で高気圧酸素を供給することにより当該人の血中酸素を増やして身体の活性化を図ったり疲労の早期回復が期待されるなどの優れた効果があるとして、最近種々提案されている（たとえば、特許文献１参照）。
【特許文献１】特開平８−１７３４８６号公報
【考案の開示】
【考案が解決しようとする課題】
【０００３】
ところで、高気圧酸素カプセル装置では、たとえば外気温３０℃以上の暑い季節には、気密状態にあるカプセル本体内は外気温よりも５℃以上温度が上昇して３５℃以上にもなるため、アイスノン（登録商標）等の冷却枕を用いて暑さに対処しているのが一般的である。あるいは、上記した特許文献１に係る高気圧酸素カプセル装置（図２）のように、冷却水を環流用装置７１を介してカプセル本体１１内のベッド部１９内部に循環供給して冷房している。なお、図２において、６１は高気圧酸素供給・排出装置である。
【０００４】
しかし、これらの方法では、カプセル本体１１内を所望の温度にまで冷房するのに手間が掛かる欠点を有する。
【０００５】
本考案の目的は、カプセル本体内を迅速に冷房することができる高気圧酸素カプセル装置を提供することにある。
【課題を解決するための手段】
【０００６】
請求項１の考案は、気密されたカプセル本体内に人が入った状態で高気圧酸素を充満可能な高気圧酸素カプセルにおいて、前記カプセル本体内に配設され蒸発器を有する室内機と、当該カプセル外部に配設され圧縮機と凝縮器を有する室外機と、当該室内機と室外機とを接続する冷媒配管とを備え、設定温度に冷房可能なエアコンデショナを付加したことを特徴とする高気圧酸素カプセル装置である。
【０００７】
上記構成の考案の場合、エアコンデショナの室外機で圧縮・液化した冷媒（たとえばフロン）は室内機の内部で膨張・気化させられる。この際、周囲から熱を奪う。このことより、カプセル本体内が冷やされる。
【考案の効果】
【０００８】
請求項１の考案によれば、エアコンデショナの室外機で圧縮・液化した冷媒（たとえばフロン）を、室内機の内部で膨張・気化させることでカプセル本体内を冷房できるので、手間をかけることなく迅速にカプセル本体内を設定温度に冷房することができる。
【考案を実施するための最良の形態】
【０００９】
本考案に係る高気圧酸素カプセル装置１は、図１に示すように、金属製のカプセル本体１１を有している。カプセル本体１１は、その両端面が閉鎖された筒状とされ、人が出入りするためのドア１５が設けられている。ドア１５は、引き戸式で金属製の枠部１６と透明の樹脂部１７とから形成されている。ドア１５を閉めると、カプセル本体１１内は気密状態となる。カプセル本体１１内には、横臥した人Ｂを支持するためのベッド部１９が設けられている。このカプセル本体１１には、高気圧酸素供給・排出装置６１が接続されており、当該カプセル本体１１内に高気圧酸素（例えば１．３気圧の酸素）を供給して充満させることができることが可能かつ排気可能に構成されている。
【００１０】
そして、本高気圧酸素カプセル装置１には、カプセル本体１１内の気温（内気温）を設定温度（例えば１５℃）に冷房可能なエアコンデショナ２０が付加されている。
【００１１】
ここで、エアコンデショナ２０は、本カプセル本体１１内に配設された室内機２１と、当該カプセル本体１１外部に配設された室外機３１と、当該室内機２１と室外機３１とを接続する冷媒配管４１とを備えており、当該カプセル本体１１内を設定温度に冷房可能に構成されている。
【００１２】
エアコンデショナ２０の室内機２１は、蒸発器２２を有しており、この実施形態ではカプセル本体１１内の後端部に配設されている。また、エアコンデショナ２０の室外機３１は、圧縮機３２と凝縮器３３を備えておりカプセル本体１１の外部に配設されている。これら室外機３１と室内機２１とは、冷媒配管４１で接続されている。このエアコンデショナ２０は、室外機３１で圧縮・液化した冷媒（例えばフロン）を、室内機２１の内部で膨張・気化させることで、カプセル本体１１の内気（この実施形態では、カプセル本体内に充満した高気圧酸素）から熱を奪って冷やす構成とされている。
【００１３】
カプセル本体１１内の前側の側面には、横臥した人Ｂが楽に手で操作することができる箇所に制御パネル５１が設けられている。この制御パネル５１を操作することにより、高気圧酸素供給・排出装置６１のオン・オフ、高気圧酸素の供給・排気スピード、エアコンデショナ２０のオン・オフ、冷房温度の設定等をすることができる構成とされている。
【００１４】
上記した本高気圧酸素カプセル装置１の場合、室外機３１で圧縮・液化した冷媒（フロン）を、室内機２１の内部で膨張・気化させることでカプセル本体１１内を冷房できるので、手間をかけることなく迅速にカプセル本体１１内を設定温度に冷房することができる。
【００１５】
なお、本実施形態では、カプセル本体１１内に高気圧酸素を供給したが、高気圧空気を供給する方式とすることもある。
【図面の簡単な説明】
【００１６】
【図１】本考案に係る本高気圧酸素カプセル装置の全体構成を示す図である。
【図２】従来の高気圧酸素カプセル装置を説明するための図である。
【符号の説明】
【００１７】
１ 高気圧酸素カプセル装置
１１ カプセル本体
１５  ドア
１７  ベッド部
２１  室内機
２２  蒸発器
３１  室外機
３２  圧縮機
３３  凝縮器
４１  冷媒配管
５１  制御パネル
６１  高気圧酸素供給・排出装置
【図１】
0003167637.tif 000003
【図２】
0003167637.tif 000004
(57)【要約】      （修正有）【課題】簡単に歯間を清潔に清掃することができ、しかも手間をかけずに清掃することができる糸楊枝を提供する。【解決手段】本糸楊枝の糸を横方向の糸２と縦方向の糸３を持つ網状としたので余り動かさなくても汚れが取れる。左右に動かすだけで、歯垢等の汚れが取れる。余り動かさないので歯茎を傷めにくい。歯間の隙間には個人差があるので、糸の太さをいろいろにしたサイズのものを作る。これは従来の横方向のみの糸楊枝の種々の欠点を無くす。【選択図】図１
0003167632.tif 000002
【実用新案登録請求の範囲】
【請求項１】
本体の糸部を数本の縦方向の糸と数本の横方向の糸を持つ網状とした糸楊枝。
【考案の詳細な説明】
【技術分野】
【０００１】    本考案は、糸楊枝の代りに網楊枝とした歯間清掃具である、糸楊枝に関する。
【背景技術】
【０００２】    今までの糸楊枝は糸が横になっているので、上下の動きが必要で手間がかかる。
【考案の概要】
【考案が解決しようとする課題】
【０００３】      本考案は、簡単に歯間を清掃することができる。しかも手間をかけずに清掃することができるものを実現する。
【課題を解決するための手段】
【０００４】  本考案は本体の糸部を数本の縦方向の糸と数本の横方向の糸を持つ、網状にした糸楊枝である。
【考案の効果】
【０００５】  今までの糸楊枝が網になっているので、上下の動きが必要なく、左右に動かすだけで、歯垢が取れる。面倒な動きがないため早く綺麗に取れる。網になっているので、どの角度で動かしても歯垢などが取れる。
【図面の簡単な説明】
【０００６】
【図１】  本考案の糸楊枝を示す側面図である。
【図２】  従来例の側面図である。
【考案を実施するための形態】
【０００７】  従来の糸楊枝は横方向の数本の糸であるが、それを網状とする。
【実施例】
【０００８】    以下図面を追って説明する。
本体（１）の糸部を網状とする。数本の横方向と糸（２）と数本の縦方向の糸（３）を持つものである。
従来のものは横方向の糸（４）のみである。その為、上下に動かすのに手間がかかる。【０００９】    歯間の隙間には個人差があるので、糸の太さをいろいろのサイズに作る。従来の糸楊枝に比べて、余り楊枝を動かさないので、歯茎を傷めにくい。
【符号の説明】
【００１０】  １．本体
２．横方向の糸
３．縦方向の糸
４．従来の横方向の糸
【図１】
0003167632.tif 000003
【図２】
0003167632.tif 000004
(57)【要約】【課題】マヨネーズ等の粘性物の容器の使用に内容物は減っても、容器が変形しても倒立して倒れない倒立補助具を提供する。【解決手段】ゴム等の弾力性を持った材質で作られ、伏せたお椀型の上部に円形の穴の空いた形状である。粘性物の入った容器本体とそれに栓をするキャップとの間に装着することにより、容器全体を倒立させ安定させる。また、内容物を絞り出すときは、お椀型の倒立補助具は弾力があるため、反り返すことができるので、装着状態でキャップの開閉及び絞り出しがしやすい。【選択図】図１
0003167630.tif 000002
【実用新案登録請求の範囲】
【請求項１】
弾力性を持った材質で作られ、伏せたお椀型の上部に円形の穴の空いた形状であり、粘性物の入った容器本体と、それに栓をするキャップとの間に装着することにより、容器全体を倒立させ安定させることを特徴とする粘性物容器の倒立補助具。
【請求項２】
弾力性を利用し反り返らせることができることにより、キャップの開閉および絞り出しがしやすくなることを特徴とする請求項１に記載の粘性物容器の倒立補助具。
【考案の詳細な説明】
【技術分野】
【０００１】本考案はプラスチック製マヨネーズ等の容器の倒立補助具に関するものである。
【背景技術】
【０００２】マヨネーズなどの粘性物容器は、使用を続けて中身が少なくなってくると、容器のキャップを上にして立てて置いた場合には、中身が底の方にたまってしまい絞り出す際に出しにくい。容器を倒立させて保管しておけば、中身が口の方に下りてきて押し出すことが容易である。しかし、面積の小さなキャップ底面を下にして倒立させておくことは内容物が偏るのでバランスが悪く難しい、さらに中身が減り容器が変形すると、より不安定になり倒立状態を自力で保つのは難しい。
【考案の開示】
【考案が解決しようとする課題】
【０００３】そのため、冷蔵庫などでの保管時も食卓での使用時も、また使用前の満杯時も残量が少なくなり容器が変形してきた時も、常時倒立することができる補助具を提供することである。
【課題を解決するための手段】
【０００４】容器を常時倒立させると不安定なのは、キャップ上部を下にすると、底面積が小さいことと、重心が上部にあるためである。しかし、キャップの外周を大きくすることは使用に際し機能的ではない。【０００５】そこで、本考案は、図１のように伏せたお椀型で上部に円形の穴を空けた形状の倒立補助具を、図２のようにマヨネーズ等の粘性物の容器本体と、キャップの間に挟みこむ。この粘性物容器の倒立補助具１の高さＨ１は、キャップ本体の高さＨ２と同じまたは高い構造を有するため、装着すると下部４を下にして倒立させることができる。【０００６】この粘性物容器の倒立補助具１は、ゴム等の弾力性のある材質であるので、内容物を絞り出すときは、図４のようにそり返すことができるので、装着状態で使用する時にキャップを取りやすい。【０００７】粘性物容器の倒立補助具１の下部の直径Ｗ１は、粘性物容器の最も太い部分の幅Ｗ２と同等が好ましい。
【考案の効果】
【０００８】マヨネーズ容器を倒立させたとき、容器の重心Ｇから下ろした垂線Ｓが粘性物容器の倒立補助具の下部４の内側にあれば理論上倒れることはない。粘性物容器のキャップの上部の直径Ｗ３は小さいが、この粘性物容器の倒立補助具１を装着し倒立させると下部４の直径が大きいので倒れない。【０００９】使用中内部の粘性物を絞り出し容器が変形しても、また、粘性物が左右の一方に偏って残った状態でも、その重心Ｇから下ろした垂線Ｓは上記の下部４の内側にあるため倒れることはない。【００１０】使用して内容物が減ったときは、保管時及び食卓での使用時も倒立させておくことにより、内容物がキャップ周辺に集まってくるため、空気と共に噴出すことがなくスムースに絞り出すことができる。
【考案を実施するための最良の形態】
【００１１】図１は本考案の粘性物容器の倒立補助具１の全体図であるが、本考案品の高さＨ１は容器のキャップの高さＨ２と同じかやや高くし、また下部の直径Ｗ１は粘性物容器の最も太い部分の幅Ｗ２と同じが最良である。【００１０】本考案の粘性物容器の倒立補助具１は、ゴム等の弾力性のある材質で製作され、図３のように粘性物の容器に装着し倒立させた時、変形することなく外周底面で倒立を支持し、且つ図４のように反り返すことが可能な弾力性を持つことが最良である。【００１１】上記の形態は、粘性物の容器の倒立を補助し、且つ、粘性内容物を最後まで絞り出すために適し、また、装着状態でも絞りだしを阻害することない考案である。
【図面の簡単な説明】
【００１２】
【図１】  粘性物容器の倒立補助具１の斜め上面図
【図２】  粘性物容器の倒立補助具１を装着した時の断面図
【図３】  粘性物容器の倒立補助具１を装着し倒立させた図
【図４】  粘性物容器の倒立補助具１を装着し、反り返らせ使用するときの先端図
【符号の説明】
【００１３】１・・・本考案の粘性物容器の倒立補助具
２・・・粘性物容器の倒立補助具１の上部
３・・・粘性物容器の倒立補助具１の穴
４・・・粘性物容器の倒立補助具１の下部
Ｈ１・・粘性物容器の倒立補助具１の高さ
Ｈ２・・粘性物容器のキャップの高さ
Ｗ１・・粘性物容器の倒立補助具１の下部４の直径
Ｗ２・・粘性物容器の最も太い部分の幅
Ｗ３・・粘性物容器のキャップ上面の直径
Ｇ・・・粘性物容器の重心
Ｓ・・・粘性物容器の重心Ｇから下ろした垂線
【図１】
0003167630.tif 000003
【図２】
0003167630.tif 000004
【図３】
0003167630.tif 000005
【図４】
0003167630.tif 000006